(57)【特許請求の範囲】
【請求項１】
動植物残渣を洗浄、粉砕、脱水して、７０〜９５重量％の水分を含有する、粉砕された動植物残渣を製造する第１工程、砂利及び／又は砂を含有する建設土木残土を水洗し、砂利、砂を選別して得られる、８０〜９９重量％の水分を含有する泥漿物の水分含有量を低下せしめる第２工程、粉砕された動植物残渣と調整された水分を含有する泥漿物とを混合して含水土壌を製造する第３工程及び含水土壌を発酵処理する第４工程を含むことを特徴とする改良土壌の製造方法。
【発明の詳細な説明】
【０００１】
【発明の属する技術分野】
本発明は、動植物残渣いわゆる生ゴミと建設土木残土を水洗し、砂利、砂を選別して得られる水分高含有率の泥漿物から製造される改良土壌及びその製造方法に関する。
【０００２】
【従来の技術】
近年、土木、建築の発展に伴い、建設土木残土等を水洗し、砂利、砂を選別して得られる水分高含有率の泥漿物が大量に発生し、環境汚染の深刻な問題を提起している。また、砕石工業から発生する水洗泥土、石灰石の水洗汚泥土、河川、湖底、海洋浚渫作業によるヘドロ等は、泥漿状態のため、その処理は極めて困難である。
【０００３】
従来、水分含有率の高いこれらの泥漿物の処理には、広大な場所と長時間をかけて、自然脱水したり、機械的に脱水していた。あるいは、石灰系やセメント系の固化材を直接混合して一部は利用されてはいるが、そのほとんどは、埋立て投棄したり焼却処分していた。しかしながら、これらの泥漿物は年々増加しており、投棄処分、焼却処分等では、処理しきれず、放置状態にされているのが実情である。
【０００４】
これらの問題を解決するため、例えば、特開平８−２２９５３１号公報、特開平９−１９２６３５号公報、特開２０００−５８００号公報、特開２００２−１８５００号公報に記載されているように、これらの産業廃棄物を減水、固化する技術が種々提案されている。
しかしながらこれらの技術により産業廃棄物を減水、固化しても、依然として産業廃棄物として残存してしまい、本質的な解決とはならない。
【０００５】
一方、食文化の発展に伴い、一般家庭や飲食店等で発生する厨芥等の生ゴミや農業生産に伴う生ゴミ等の量も年々増加の一途を辿り、各地方公共団体においてその処理が大きな問題となっている。
こうした生ゴミを処理する技術も種々提案されている。例えば、実用新案登録第２５１４１９８号では、粉砕機が粉砕した厨芥等を脱水篭中に配置したフィルタで脱水することにより、排水は汚物を含まず公共の汚水処理場負担をかけることなく、粉砕された厨芥等も水分を含まないので、廃棄しても衛生的である技術を提案している。
【０００６】
【発明が解決しようとする課題】
水分含有率の高い上記した泥漿物をその処理後も産業廃棄物として残存させないと共に、生ゴミも同時に処理することを目的とする。
【０００７】
【課題を解決するための手段】
本発明者は、水分含有率の高い上記した泥漿物の処理方法について鋭意研究を重ねた結果、驚くべきことに、水分高含有率の泥漿物と生ゴミから改良土壌を製造して、水分高含有率の泥漿物と生ゴミを一挙に処理できることを見出し、本発明を完成するに到ったものである
【０００８】
すなわち、本発明は、動植物残渣を洗浄、粉砕、脱水して、７０〜９５重量％の水分を含有する、粉砕された動植物残渣を製造する第１工程、砂利及び／又は砂を含有する建設土木残土を水洗し、砂利、砂を選別して得られる、８０〜９９重量％の水分を含有する泥漿物の水分含有量を低下せしめる第２工程、粉砕された動植物残渣と調整された水分を含有する泥漿物とを混合して含水土壌を製造する第３工程及び含水土壌を発酵処理する第４工程を含むことを特徴とする改良土壌の製造方法である。
【０００９】
【発明の実施の形態】
本発明の改良土壌は、動植物残渣を洗浄、粉砕、脱水して、７０〜９５重量％の水分を含有する、粉砕された動植物残渣を製造する第１工程、砂利及び／又は砂を含有する建設土木残土を水洗し、砂利、砂を選別して得られる、８０〜９９重量％の水分を含有する泥漿物の水分含有量を低下せしめる第２工程、粉砕された動植物残渣と調整された水分を含有する泥漿物とを混合して含水土壌を製造する第３工程及び含水土壌を発酵処理する第４工程を経て製造される。
【００１０】
本発明の第１工程において使用される動植物残渣（生ゴミ）とは、一般家庭や飲食店等で発生する厨芥等の生ゴミや農業生産に伴う生ゴミ等である。良質の土壌を得るためには、プラスチック容器、割り箸等は、分別除去するのが好ましい。
動植物残渣（生ゴミ）は、洗浄、粉砕、脱水される。実用新案登録第２５１４１９８号に基づく粉砕機（有限会社イシヅ製「コンドル１号生ゴミ粉砕器」）を好適に使用することができる。洗浄、粉砕、脱水された動植物残渣（生ゴミ）は、７０〜９５重量％の水分を含有する。
【００１１】
本発明の第２工程において使用される砂利及び／又は砂を含有する建設土木残土を水洗し、砂利、砂を選別して得られる水分高含有率の泥漿物とは、各種建設残土を水洗し、砂利、砂を選別して得られる水分高含有率の泥漿物、泥水、石灰石又は砕石類の洗浄泥土水、砂利、砂を含有する河川、湖沼、海底からの採掘物を水洗し、砂利、砂を選別して得られる泥漿物等である。産業廃棄物に限らない。良質の改良土壌を得るためには、好ましくは、各種建設残土を水洗し、砂利、砂を選別して得られる泥漿物、泥水、石灰石又は砕石類の洗浄泥土水が使用される。この種の泥漿物は、８０〜９９重量％の水分を含有する。
この水分高含有率の泥漿物は、沈殿法等により容易に５〜２０重量％の水分含有量に調整することができる。泥漿物の水分含有量の調整は、粉砕された動植物残渣（生ゴミ）の水分含有量に応じて行われる。
【００１２】
本発明の第３工程では、粉砕された動植物残渣（生ゴミ）と調整された水分を含有する泥漿物とを混合、必要に応じて乾燥して含水土壌を製造する。調整された水分を含有する泥漿物に対して、粉砕された動植物残渣（生ゴミ）を０．５〜１．５の重量比、好ましくは０．８〜１．３の重量比で混合する。その際、混合物の水分含有量を４０〜６０重量％、好ましくは４５〜５５重量％になるように第２工程で泥漿物の水分含有量を調整する。混合は、加熱混合できる通常のキルンを用いて行うことができる。
【００１３】
本発明の第４工程では、第３工程から含水土壌を発酵槽に排出し、１０〜３０日間、好ましくは１５〜２５日間、好気性雰囲気下に置いて発酵処理する。発酵槽には必要ならば脱臭装置を取り付けることができる。
【００１４】
本発明による改良土壌は、育苗用土壌、枯れた土壌の強化土壌、ゴルフ場や公園等の芝養生用土壌等々、広い用途を有している。
【００１５】
【実施例】
以下に本発明の構成を実施例により具体的に説明する。
プラスチック容器、割り箸等を除いた生ゴミを実用新案登録第２５１４１９８号に基づく粉砕機（有限会社イシヅ製「コンドル１号生ゴミ粉砕器」）で処理して、８５０ｋｇ（水分含有率８７％）の粉砕された生ゴミを得た。
【００１６】
建設残土を水洗し、砂利及び砂を選別して得られる泥漿物（含水率約９４重量％）を沈殿沈降処理して水分含有量１０％に調整した泥漿物８７６ｋｇ（１０００リットル）を１００ｍ３のキルンに装入した。これに８５０ｋｇ（水分含有率８７％）の粉砕された生ゴミ（１０００リットル）を装入し、約５時間混合した。１７２６ｋｇ（水分含有率５０重量％）の含水土壌を得た。
【００１７】
この含水土壌をショベル付き発酵槽に排出し、１回／日の切返しを入れて、２０日間、５０リットル／ｍ３・分の通気量で、発酵処理した。改良土壌１３１９ｋｇ（水分含有量３６％）を得た。
得られた改良土壌中の成分は、以下のとおりである。
窒素含量  ０．０６％、リン酸含量  ０．１５％、カリウム含量  ０．２３％、有機炭素  ０．９５％
【００１８】
【発明の効果】
本発明により得られる改良土壌は、栄養に富み、育苗用土壌、枯れた土壌の強化土壌、ゴルフ場や公園等の芝養生用土壌等々、広い用途を有している。また、本発明では、砂利及び／又は砂を含有する建設土木残土を水洗し、砂利、砂を選別して得られる水分高含有率の泥漿物及び生ゴミをその処理後も産業廃棄物として残存させることなく、有用な改良土壌として回収するものであって、環境汚染に対して画期的な意義を有するものである。